(57)【要約】 【課題】  レンズを合焦させるときに生じる振動を低減し、ダイナミックレスポンスタイムおよび合焦時間を短縮するレンズ駆動装置を提供する。【解決手段】  フレーム、前記フレームに移動可能に配置されたレンズホルダー、外周部、内周部、および少なくとも１つのアーム部を有し、前記外周部は前記フレームと接合され、前記内周部は、前記レンズホルダーと接合され、前記アーム部は、前記外周部と前記内周部の間に連結されたスプリングシート、および前記スプリングシートの前記アーム部と、前記フレームと前記レンズホルダーの少なくとも１つとの間に連結された少なくとも１つの減衰素子を含むレンズ駆動装置。【選択図】  図３Ａ
2017102444.tif 000002
【特許請求の範囲】
【請求項１】
フレーム、
前記フレームに移動可能に配置されたレンズホルダー、
外周部、内周部、および少なくとも１つのアーム部を有し、前記外周部は前記フレームと接合され、前記内周部は、前記レンズホルダーと接合され、前記アーム部は、前記外周部と前記内周部の間に連結されたスプリングシート、および
前記スプリングシートの前記アーム部と、前記フレームと前記レンズホルダーの少なくとも１つとの間に連結された少なくとも１つの減衰素子を含むレンズ駆動装置。
【請求項２】
前記スプリングシートの前記アーム部は、前記フレームに向けて延伸した少なくとも１つの凸部を形成し、且つ前記フレームは、前記凸部に対応する少なくとも１つの凹部を形成し、前記減衰素子は、前記凸部と前記凹部の間に連結される請求項１に記載のレンズ駆動装置。
【請求項３】
前記スプリングシートの前記アーム部は、前記レンズホルダーに向けて延伸した少なくとも１つの凸部を形成し、且つ前記レンズホルダーは、前記凸部に対応する少なくとも１つの凹部を形成し、前記減衰素子は、前記凸部と前記凹部の間に連結される請求項１に記載のレンズ駆動装置。
【請求項４】
前記フレームは、前記フレームの内側から突出した少なくとも１つの連結部を形成し、前記減衰素子は、前記スプリングシートの前記アーム部と前記連結部の間に連結される請求項１に記載のレンズ駆動装置。
【請求項５】
前記スプリングシートの前記内周部は、前記レンズホルダーの接合面の一部が露出された少なくとも１つの開孔を形成し、前記減衰素子は、前記スプリングシートの前記アーム部、前記開孔と、前記レンズホルダーの前記接合面の一部の間に連結される請求項１に記載のレンズ駆動装置。
【請求項６】
前記減衰素子は、巻回方式で前記スプリングシートの前記アーム部に連結される請求項１に記載のレンズ駆動装置。
【請求項７】
前記減衰素子は、ソフトゲルである請求項１に記載のレンズ駆動装置。
【請求項８】
前記フレームおよび前記レンズホルダーは、樹脂材料を含む請求項１に記載のレンズ駆動装置。
【請求項９】
前記フレームと前記スプリングシートは、それぞれ前記レンズ駆動装置の上ケースと上スプリングシートである請求項１に記載のレンズ駆動装置。
【請求項１０】
前記フレームと前記スプリングシートは、それぞれ前記レンズ駆動装置の底部ベースと下スプリングシートである請求項１に記載のレンズ駆動装置。
【発明の詳細な説明】
【技術分野】
【０００１】
本発明は、レンズ駆動装置に関し、特に、合焦に要する時間を短縮できるレンズ駆動装置に関するものである。
【背景技術】
【０００２】
携帯電話などの多くの携帯機器は、近年、基本機能としてデジタルカメラが装備されており、これは、レンズ駆動装置の小型化の功績である。オートフォーカス機能またはズーム機能を提供するために、一般的に用いられる小型のレンズ駆動装置は、ボイスコイルモータ（ＶＣＭ）である。これは、レンズを搭載して、コイル、磁石、およびスプリングシートによって撮影光軸に沿って前後にレンズを移動させることができる。
【０００３】
一般的に、レンズ（ＶＣＭの）が所定位置に移動されて被写体を合焦させるとき、一時ぶれた後、ゆっくりと安定した状態になる。この静止から停止に移動するまでにかかる時間は、ダイナミックレスポンスタイム（Ｄｙｎａｍｉｃ Ｒｅｓｐｏｎｓｅ Ｔｉｍｅ）と呼ばれ、レンズ駆動装置の合焦にかかる時間の長さに影響する（ダイナミックレスポンスタイムの時間が長ければ長いほど、合焦にかかる時間が長くなる。これは、レンズ駆動装置の効果に悪影響を与える。）従って、どのようにダイナミックレスポンスタイムを短縮して、レンズ駆動装置の合焦時間を短縮するかを十分に検討することが必要である。
【先行技術文献】
【特許文献】
【０００４】
【特許文献１】特開２００７−３１６３９５
【発明の概要】
【発明が解決しようとする課題】
【０００５】
本発明の課題は、レンズを合焦させるときに生じる振動を低減し、ダイナミックレスポンスタイムおよび合焦時間を短縮するレンズ駆動装置を提供することである。
【課題を解決するための手段】
【０００６】
本発明の実施形態は、フレーム、レンズホルダー、スプリングシート、および少なくとも１つの減衰素子を含むレンズ駆動装置を提供する。レンズホルダーは、フレームに移動可能に配置される。スプリングシートは、外周部、内周部、および少なくとも１つのアーム部を有する。外周部はフレームと接合され、内周部は、レンズホルダーと接合され、アーム部は、外周部と内周部の間に連結される。減衰素子は、スプリングシートのアーム部と、フレームとレンズホルダーの少なくとも１つとの間に連結される。
【０００７】
いくつかの実施形態では、スプリングシートのアーム部は、フレームに向けて延伸した少なくとも１つの凸部を形成し、且つフレームは、凸部に対応する少なくとも１つの凹部を形成し、減衰素子は、凸部と凹部の間に連結される。
【０００８】
いくつかの実施形態では、スプリングシートのアーム部は、レンズホルダーに向けて延伸した少なくとも１つの凸部を形成し、且つレンズホルダーは、凸部に対応する少なくとも１つの凹部を形成し、減衰素子は、凸部と凹部の間に連結される。
【０００９】
いくつかの実施形態では、フレームは、フレームの側壁の内側から突出した少なくとも１つの連結部を形成し、減衰素子は、スプリングシートのアーム部と連結部の間に連結される。
【００１０】
いくつかの実施形態では、スプリングシートの内周部は、レンズホルダーの接合面の一部が露出された少なくとも１つの開孔を形成し、減衰素子は、スプリングシートのアーム部、開孔と、露出されたレンズホルダーの接合面の一部の間に連結される。
【００１１】
いくつかの実施形態では、減衰素子は、巻回方式でスプリングシートのアーム部に連結される。
【００１２】
いくつかの実施形態では、減衰素子は、ソフトゲルである。
【００１３】
いくつかの実施形態では、減衰素子、フレーム、およびレンズホルダーは、同じ樹脂材料を含む。
【００１４】
いくつかの実施形態では、フレームとスプリングシートは、それぞれレンズ駆動装置の上ケースと上スプリングシートである。
【００１５】
いくつかの実施形態では、フレームとスプリングシートは、それぞれレンズ駆動装置の底部ベースと下スプリングシートである。
【００１６】
本発明の目的、特徴、および利点を説明するための、本発明の望ましい実施形態および図が以下に詳細に示される。
【図面の簡単な説明】
【００１７】
添付の図面とともに以下の本発明の様々な実施形態の詳細な説明を検討することで、本発明はより完全に理解できる。
【図１】本発明の実施形態に係る、レンズ駆動装置の分解図である。
【図２】組み立て後の図１のレンズ駆動装置の概略図である。
【図３Ａ】本発明の実施形態に係る、レンズ駆動装置のスプリングシート、減衰素子、およびフレームの構造を示す概略平面図である。
【図３Ｂ】図３Ａの部分Ａの拡大透視図である。
【図４】本発明のもう１つの実施形態に係る、スプリングシートと減衰素子間の連結を示す概略断面図である。
【図５Ａ】本発明のもう１つの実施形態に係る、レンズ駆動装置のスプリングシート、減衰素子、およびフレームの構造を示す概略平面図である。
【図５Ｂ】図５Ａの部分Ｂの拡大透視図である。
【図６Ａ】本発明のもう１つの実施形態に係る、レンズ駆動装置のスプリングシート、減衰素子、およびレンズホルダーの構造を示す概略平面図である。
【図６Ｂ】図６Ａの部分Ｃの拡大透視図である。
【図７Ａ】本発明のもう１つの実施形態に係る、レンズ駆動装置のスプリングシート、減衰素子、およびレンズホルダーの構造を示す概略平面図である。
【図７Ｂ】図７Ａの部分Ｄの拡大透視図である。
【図８Ａ】本発明のもう１つの実施形態に係る、レンズ駆動装置のスプリングシート、減衰素子、およびフレームの構造を示す概略平面図である。
【図８Ｂ】図８Ａの部分Ｅの拡大透視図である。
【図９Ａ】本発明のもう１つの実施形態に係る、レンズ駆動装置のスプリングシート、減衰素子、およびレンズホルダーの構造を示す概略平面図である。
【図９Ｂ】図９Ａの部分Ｆの拡大透視図である。
【発明を実施するための形態】
【００１８】
詳細な説明は、添付の図面と併せて以下の実施形態で説明する。
【００１９】
以下の詳細の説明では、配置を示す “ｏｎ（上）”、 “ｏｖｅｒ（上方）”、 “ｕｎｄｅｒ（下）”、および “ｂｅｌｏｗ（下方）”は、図に示された各素子の相対位置の関係を表すために用いられており、本発明を限定するものではない。
【００２０】
また、本開示は、種々の実施例において、参照番号および／または文字を繰り返し用いている。この反復は、簡素化と明確さの目的のためであって、種々の実施の形態および／または議論された構成との間の関係を規定するものではない。図面は、各種の実施形態の関連する態様を明確に説明するためのものであり、縮尺通りに描かれるとは限らない。また、本実施形態に示されていない、または説明されていないいくつかの構成要素は、当該技術分野の熟練者に周知の形状を有する。
【００２１】
図１および図２に示すように、図１は、本発明の実施形態に係る、レンズ駆動装置１の分解図であり、図２は、組み立て後のレンズ駆動装置１の概略図である。レンズ駆動装置１は、ボイスコイルモータ（ＶＣＭ）であり、互いに垂直な３つの軸方向、即ち、Ｘ軸方法、Ｙ軸方法、およびＺ軸方向を定義し、その中にレンズ（図示されていない）を含み、レンズは、Ｚ軸に実質的に平行である撮影光軸Ｏを定義する。
【００２２】
図１および図２に示されるように、レンズ駆動装置１は、上ケース１０、底部ベース２０、レンズホルダー３０、コイル４０、複数の（例えば４つ）磁石５０、上スプリングシート６０、および下スプリングシート７０を含む。
【００２３】
この実施形態では、上ケース１０は、中空構造であり、底部ベース２０と接合されて収容空間を形成し、上述のようにレンズ駆動装置１の他の部分を収容して保護する。また、上ケース１０は、レンズ駆動装置１のレンズ（図示されていない）が外側から光を取り込むことができる開孔１２を有する。レンズホルダー３０は、八角形の外縁を有し、且つ貫通孔３２を有する中空リング構造であり、貫通孔３２は、ネジ構造３２２を形成し、レンズにあるもう１つのネジ構造に対応し、レンズが貫通孔３２にロックされることができる。コイル４０は、レンズホルダー３０の周辺に巻回される。磁石５０は、永久磁石であることができ、底部ベースの４つのコーナー部に、コイルに対応してそれぞれ固定される。コイルに流れる電流を変えることによって、異なる磁場がコイル４０と磁石５０の間に生成され、レンズホルダー３０とその中のレンズを撮影光軸Ｏに沿って前後に駆動し、フォーカスまたはズームが行われる。
【００２４】
理解すべきことは、レンズホルダー３０は、上ケース１０と底部ベース２０によって形成された収容空間に移動可能に設置され（上ケース１０と底部ベース２０は、レンズ駆動装置１のフレームを形成する）、上スプリングシート６０と下スプリングシート７０の移動可能な内周部によって弾性的に挟持される。従って、上スプリングシート６０と下スプリングシート７０は、レンズホルダー３０が移動できる範囲を制限し、Ｘ軸、Ｙ軸、およびＺ軸に沿って、レンズホルダー３０の変位のための緩衝容積を提供することができる。
【００２５】
しかしながら、上述の設計（即ち、レンズホルダー３０が、弾性且つ薄片状を有する上スプリングシート６０と下スプリングシート７０によって挟持されている）も、レンズが所定位置に移動されて被写体を合焦させるとき、レンズホルダー３０とその中のレンズの振動／ぶれが生じ、ダイナミックレスポンスタイムが延長される。従って、以下、本発明のさまざまな実施形態（図３〜図９を参照）に用いられる、レンズをフォーカスするときに生じる振動を吸収および制御することによって、ダイナミックレスポンスタイムおよび合焦時間を短縮し、レンズ駆動装置１の有効性を更に向上させることができる減衰素子を更に説明する。
【００２６】
図３Ａおよび図３Ｂに示すように、図３Ａは、本発明の実施形態に係る、レンズ駆動装置のスプリングシート６０、減衰素子８０、およびフレーム１０の構造を示す概略平面図であり、図３Ｂは、図３Ａの部分Ａの拡大透視図である。理解すべきことは、レンズ駆動装置１の上スプリングシート６０と上ケース１０は、本実施形態を説明するための例に用いられているが、上スプリングシート６０と上ケース１０は、レンズ駆動装置１の下スプリングシート７０と底部ベース２０に置き換えられることもできることである（図１）。
【００２７】
図３Ａおよび図３Ｂに示されるように、スプリングシート６０は、実質的に長方形を有する外周部６２と、実質的に環状形状を有する内周部６４、および外周部６２と内周部６４の間に連結された複数の細長形状のアーム部６６を含む。外周部６２は、例えば接着剤によって、上ケース１０（フレーム）の４つのコーナー部と接合されるように構成される。内周部６４は、例えば接着剤によって、レンズホルダー３０と接合されるように構成される。４つのアーム部６６は、外周部６２と内周部６４の間に延伸し、等間隔で互いに対称に設置され、Ｘ軸、Ｙ軸、およびＺ軸に沿うレンズホルダー３０の変位のための緩衝容積を増加させる。
【００２８】
また、複数の（例えば、４つ）減衰素子８０は、スプリングシート６０のアーム部６６と隣接のフレーム１０（４つのコーナー部）の間に配置されることができる。減衰素子８０は、アーム部６６とフレーム１０（図３Ｂ）に連結され、レンズが所定位置に移動されて被写体を合焦させるときにスプリングシート６０のアーム部６６で生じる振動を減衰素子８０が吸収および制御することができる。従って、ダイナミックレスポンスタイムおよび合焦時間は、効果的に短縮される。
【００２９】
減衰素子８０は、ソフトゲルまたは任意の他の適切な減衰材料であることができる。また、フレーム１０は、樹脂材料を含むことが好ましく、減衰素子８０とフレーム１０間のより良い接合強度を得ることができるため、減衰素子８０がフレーム１０と簡単に分離するのを防ぐことができる。
【００３０】
図４は、本発明のもう１つの実施形態に係る、スプリングシート６０と減衰素子８０間の連結を示す概略断面図である。図４に示されるように、減衰素子８０は、巻回方式で（たとえば、アーム部６６の長手方向に直交する断面において、減衰素子８０がアーム部６６の外周を巻回するか又は囲うように）スプリングシート６０のアーム部６６に連結されることもできる。従って、減衰素子８０と金属スプリングシート６０間の接合強度も向上されることができるため、減衰素子８０がスプリングシート６０と簡単に分離するのを防ぐことができる。
【００３１】
図５Ａと図５Ｂに示すように、図５Ａは、本発明のもう１つの実施形態に係る、レンズ駆動装置のスプリングシート６０、減衰素子８０、およびフレーム１０の構造を示す概略平面図であり、図５Ｂは、図５Ａの部分Ｂの拡大透視図である。留意すべきは、この実施形態（図５Ａと図５Ｂ）と図３Ａと図３Ｂの実施形態が異なることは、スプリングシート６０のアーム部６６がフレーム１０に向けて延伸した複数の凸部６６Ａ（フレーム１０の４つのコーナー部に対応する、４つの凸部６６Ａ）を更に形成していることである。また、フレーム１０は、凸部６６Ａに対応する複数の凹部１４（図５Ｂ）を更に形成する。従って、減衰素子８０は、アーム部６６の凸部６６Ａとフレーム１０の凹部１４の間に連結されることができ（この実施形態では、減衰素子８０は、凸部６６Ａと凹部１４に連結され、且つ減衰素子８０の一部は、凸部６６Ａと凹部１４の底面の間隙に流入する）、レンズが所定位置に移動されて被写体を合焦させるときにスプリングシート６０のアーム部６６で生じる振動を減衰素子８０が吸収および制御することができるため、ダイナミックレスポンスタイムおよび合焦時間を効果的に短縮する。
【００３２】
また、本実施形態の凹部１４は、それぞれ三角形に設計されており（三角形に限定されるものではないが）、減衰素子８０が全ての三角形の凹部１４の上を対応してカバーしている。従って、減衰素子８０とフレーム１０間の接合強度は、増加されることができ、アーム部６６の凸部６６Ａとフレーム１０間の接合強度も増加されることができる。また、凹部１４の設計により、減衰素子８０は、所望の位置に正確に接着されて位置決めされることができ、減衰素子８０の使用量が減少される。
【００３３】
図６Ａと図６Ｂに示すように、図６Ａは、本発明のもう１つの実施形態に係る、レンズ駆動装置のスプリングシート６０、減衰素子８０、およびレンズホルダー３０の構造を示す概略平面図であり、図６Ｂは、図６Ａの部分Ｃの拡大透視図である。留意すべきは、この実施形態（図６Ａと図６Ｂ）と図３Ａと図３Ｂの実施形態が異なることは、複数の減衰素子８０がスプリングシート６０のアーム部６６とレンズホルダー３０の間に配置されていることである。減衰素子８０は、アーム部６６とレンズホルダー３０に連結され（図６Ｂ）、レンズが所定位置に移動されて被写体を合焦させるときにスプリングシート６０のアーム部６６で生じる振動を減衰素子８０が吸収および制御することができるため、ダイナミックレスポンスタイムおよび合焦時間を効果的に短縮する。
【００３４】
この実施形態では、減衰素子８０は、ソフトゲルまたは任意の他の適切な減衰材料であることができる。また、レンズホルダー３０は、樹脂材料を含むことが好ましく、減衰素子８０とレンズホルダー３０間のより良い接合強度を得ることができるため、減衰素子８０がレンズホルダー３０と簡単に分離するのを防ぐことができる。いくつかの実施形態では、減衰素子８０は、巻回方式でスプリングシート６０のアーム部６６に連結されることもできる。従って、減衰素子８０と金属スプリングシート６０間の接合強度も向上されることができるため、減衰素子８０がスプリングシート６０と簡単に分離するのを防ぐことができる。
【００３５】
図７Ａと図７Ｂに示すように、図７Ａは、本発明のもう１つの実施形態に係る、レンズ駆動装置のスプリングシート６０、減衰素子８０、およびレンズホルダー３０の構造を示す概略平面図であり、図７Ｂは、図７Ａの部分Ｄの拡大透視図である。留意すべきは、この実施形態（図７Ａと図７Ｂ）と図６Ａと図６Ｂの実施形態が異なることは、スプリングシート６０のアーム部６６がレンズホルダー３０に向けて延伸した複数の凸部６６Ｂ（４つの凸部６６Ｂ）を更に形成していることであり、レンズホルダー３０は、凸部６６Ｂに対応する複数の凹部３４（図７Ｂ）を更に形成する。従って、減衰素子８０は、アーム部６６の凸部６６Ｂとレンズホルダー３０の凹部３４の間に連結されることができ（この実施形態では、減衰素子８０は、凸部６６Ｂと凹部３４に連結され、且つ一部の減衰素子８０は、凸部６６Ｂと凹部３４の底面の間隙に流入する）、レンズが所定位置に移動されて被写体を合焦させるときにスプリングシート６０のアーム部６６で生じる振動を減衰素子８０が吸収および制御することができるため、ダイナミックレスポンスタイムおよび合焦時間を効果的に短縮する。
【００３６】
また、本実施形態の凹部３４は、それぞれ半円形に設計されており（半円形に限定されるものではないが）、減衰素子８０が全ての半円形の凹部３４の上を対応してカバーしている。従って、減衰素子８０とレンズホルダー３０間の接合強度は、増加されることができ、アーム部６６の凸部６６Ｂとレンズホルダー３０間の接合強度も増加されることができる。また、凹部３４の設計により、減衰素子８０は、所望の位置に正確に接着されて位置決めされることができ、減衰素子８０の使用量が減少される。
【００３７】
図８Ａと図８Ｂに示すように、図８Ａは、本発明のもう１つの実施形態に係る、レンズ駆動装置のスプリングシート７０、減衰素子８０、およびフレーム２０の構造を示す概略平面図であり、図８Ｂは、図８Ａの部分Ｅの拡大透視図である。理解すべきことは、レンズ駆動装置１の下スプリングシート７０と底部ベース２０は、本実施形態を説明するための例に用いられているが、下スプリングシート７０と底部ベース２０は、レンズ駆動装置１の上スプリングシート６０と上ケース１０に置き換えられることもできることである（図１）。
【００３８】
図８Ａおよび図８Ｂに示されるように、スプリングシート７０は、底部ベース２０（フレーム）と接合されるように構成された外周部７２、レンズホルダー３０（図示されていない）と接合されるように構成された内周部７４、および外周部７２と内周部７４の間に連結された複数（例えば、４つ）の細長形状のアーム部７６を含む。
【００３９】
また、底部ベース２０の４つの側壁は、フレームの側壁の内側から突出した連結部２２（図８Ｂ）を更にそれぞれ形成し、対応するスプリングシート７０のアーム部７６は、連結部２２の１つ側（例えば、上側）に設置されることができる。また、複数の減衰素子８０は、スプリングシート７０のアーム部７６と隣接の連結部２２の間に配置されることができる。より具体的に言えば、減衰素子８０は、連結部２２および底部ベース２０の内側壁に接着され、巻回方式でスプリングシート７０のアーム部７６に連結され（留意すべきは、減衰素子８０のそれぞれは、少なくとも対応するアーム部７６の２つの対向する面、および２つの面の間のもう１つの面に連結される）、レンズが所定位置に移動されて被写体を合焦させるときにスプリングシート７０のアーム部７６で生じる振動を減衰素子８０が吸収および制御することができるため、ダイナミックレスポンスタイムおよび合焦時間を効果的に短縮することができる。また、連結部２２の設計により、減衰素子８０は、所望の位置に正確に接着されて位置決めされることができる。
【００４０】
この実施形態では、減衰素子８０は、ソフトゲルまたは任意の他の適切な減衰材料であることができる。また、底部ベース２０（フレーム）は、樹脂材料を含むことが好ましく、減衰素子８０と底部ベース２０間のより良い接合強度を得ることができるため、減衰素子８０が底部ベース２０と簡単に分離するのを防ぐことができる。
【００４１】
図９Ａと図９Ｂに示すように、図９Ａは、本発明のもう１つの実施形態に係る、レンズ駆動装置のスプリングシート７０、減衰素子８０、およびレンズホルダー３０の構造を示す概略平面図であり、図９Ｂは、図９Ａの部分Ｆの拡大透視図である。理解すべきことは、レンズ駆動装置１の下スプリングシート７０は、本実施形態を説明するための例に用いられているが、下スプリングシート７０は、上スプリングシート６０に置き換えられることもできることである（図１）。
【００４２】
この実施形態では、スプリングシート７０は、内周部７４上に複数（例えば、４つ）の開孔７４Ａを更に形成し、レンズホルダー３０の接合面の一部を露出する。また、減衰素子８０は、スプリングシート７０のアーム部７６、開孔７４Ａと、露出されたレンズホルダー３０の接合面の一部の間に連結される。減衰素子８０がアーム部７６とレンズホルダー３０と連結されることにより、レンズが所定位置に移動されて被写体を合焦させるときにスプリングシート７０のアーム部７６で生じる振動を減衰素子８０が吸収および制御することができるため、ダイナミックレスポンスタイムおよび合焦時間を効果的に短縮することができる。
【００４３】
開孔７４Ａの設計により、減衰素子８０は、開孔７４Ａに流入し、スプリングシート７０のアーム部７６、開孔７４Ａと、露出されたレンズホルダー３０の接合面の一部の間に連結される。従って、減衰素子８０は、所望の位置に正確に接着されて位置決めされることができ、減衰素子８０とレンズホルダー３０間の接合強度も更に向上されることができる。この実施形態では、減衰素子８０は、ソフトゲルまたは任意の他の適切な減衰材料であることができる。また、レンズホルダー３０は、樹脂材料を含むことが好ましく、減衰素子８０とレンズホルダー３０間のより良い接合強度を得ることができるため、減衰素子８０がフレーム１０と簡単に分離するのを防ぐことができる。いくつかの実施形態では、減衰素子８０は、巻回方式でスプリングシート７０のアーム部７６に連結されることもできる。従って、減衰素子８０と金属材料を含むスプリングシート７０間の接合強度も更に向上されることができるため、減衰素子８０がスプリングシート７０と簡単に分離するのを防ぐことができる。
【００４４】
上述の実施形態のレンズ駆動装置１は、ボイスコイルモータ（ＶＣＭ）を例として用いているが、本発明はこれを限定するものではない。本発明のいくつかの実施形態に提供されるレンズ駆動装置は、カメラをＸ軸とＹ軸に沿って駆動することができるため、光学式手ぶれ補正（ＯＩＳ）技術を有するカメラモジュールに用いられることもできる。
【００４５】
本発明は、実施例の方法及び望ましい実施の形態によって記述されているが、本発明は開示された実施形態に限定されるものではない。逆に、当業者には自明の種々の変更及び同様の配置をカバーするものである。よって、添付の請求の範囲は、最も広義な解釈が与えられ、全てのこのような変更及び同様の配置を含むべきである。
【符号の説明】
【００４６】
１  レンズ駆動装置
１０  上ケース
１２、７４Ａ  開孔
１４  凹部
２０  底部ベース
２２  連結部
３０  レンズホルダー
３２  貫通孔
３２２  ネジ構造
３４  凹部
４０  コイル
５０  磁石
６０  上スプリングシート
６２、７２  外周部
６４、７４  内周部
６６  アーム部
６６Ａ  凸部
６６Ｂ  凸部
７０  下スプリングシート
７６  アーム部
８０  減衰素子
Ｏ  撮影光軸
【図１】
2017102444.tif 000003
【図２】
2017102444.tif 000004
【図３Ａ】
2017102444.tif 000005
【図３Ｂ】
2017102444.tif 000006
【図４】
2017102444.tif 000007
【図５Ａ】
2017102444.tif 000008
【図５Ｂ】
2017102444.tif 000009
【図６Ａ】
2017102444.tif 000010
【図６Ｂ】
2017102444.tif 000011
【図７Ａ】
2017102444.tif 000012
【図７Ｂ】
2017102444.tif 000013
【図８Ａ】
2017102444.tif 000014
【図８Ｂ】
2017102444.tif 000015
【図９Ａ】
2017102444.tif 000016
【図９Ｂ】
2017102444.tif 000017